(57)【要約】【課題】緩衝材を増大させることなく横方向の耐力を向上することが可能な室外機梱包集合体を提供する。【解決手段】室外機梱包集合体１は、空気調和機の室外機を梱包するための室外機梱包材集合体である。室外機梱包集合体１は、底部ケース３と、上部ケース２と、底部緩衝材６と、上部緩衝材５と、胴枠４と、寸法差埋め部８とを備えている。底部ケース３は、室外機の底部に取り付けることができる。上部ケース２は、室外機の上部に取り付けることができる。底部緩衝材６は、室外機と底部ケース３との間に配置される。上部緩衝材５は、室外機と上部ケース２との間に配置される。胴枠４は、上面視において上部ケース２および底部ケース３よりも１カ所以上の所定方向の寸法が大きくなっている。胴枠４は、底部ケース３および上部ケース２の周囲を覆う。寸法差埋め部８は、胴枠４における所定方向の寸法が大きい部分を埋める。【選択図】図１
2008013209.tif 000002
【特許請求の範囲】
【請求項１】
空気調和機の室外機を梱包するための室外機梱包材集合体であって、
前記室外機の底部に取り付けることができる底部ケース（３）と、
前記室外機の上部に取り付けることができる上部ケース（２）と、
前記室外機と前記底部ケース（３）との間に配置される底部緩衝材（６）と、
前記室外機と前記上部ケース（２）との間に配置される上部緩衝材（５）と、
上面視において前記上部ケース（３）および前記底部ケース（２）よりも１カ所以上の所定方向の寸法が大きくなっており、前記底部ケース（２）および前記上部ケース（３）の少なくとも周囲を覆う胴枠（４）と、
前記胴枠（４）における１カ所以上の所定方向の寸法が大きい部分を埋める寸法差埋め部（８、１８）と
を備えた室外機梱包材集合体（１）。
【請求項２】
前記寸法差埋め部（８、１８）の下面（８ａ、１８ａ）は、前記胴枠（４）に接する側から前記底部ケース（２）または前記上部ケース（３）に接する側にかけて斜め上方向に延びる、
請求項１に記載の室外機梱包材集合体（１）。
【請求項３】
前記寸法差埋め部（８）は、台形断面形状を有しており、
前記寸法差埋め部（８）の台形断面における短辺（８ｂ）が前記底部ケース（２）または前記上部ケース（３）に接する、
請求項２に記載の室外機梱包材集合体（１）。
【請求項４】
前記寸法差埋め部（１８）は、三角形断面形状を有しており、
前記寸法差埋め部（１８）の三角形断面における頂点が前記底部ケース（２）または前記上部ケース（３）に接する、
請求項２に記載の室外機梱包材集合体（１）。
【請求項５】
前記寸法差埋め部（８、１８）は、前記上部ケース（２）の側面に密着している、
請求項１から４のいずれかに記載の室外機梱包材集合体。
【請求項６】
前記寸法差埋め部（８、１８）は、前記胴枠（４）とともに、１枚の折り曲げ可能な板状材料を折り曲げることにより製造されている、
請求項１から５のいずれかに記載の室外機梱包材集合体。
【請求項７】
前記寸法差埋め部（８、１８）は、前記胴枠（４）と別部材であり、前記胴枠（４）の内面に固着されている、
請求項１から５のいずれかに記載の室外機梱包材集合体。
【請求項８】
前記寸法差埋め部（８、１８）は、前記胴枠（４）の少なくとも１つの側面に設けられている、
請求項１から７のいずれかに記載の室外機梱包材集合体（１）。
【請求項９】
前記胴枠（４）は、前記上部ケース（２）の上面および／または底部ケース（３）の下面を覆う部分（４ｅ、４ｆ、４ｇ、４ｈ）を有している、
請求項１から８のいずれかに記載の室外機梱包材集合体（１）。
【発明の詳細な説明】
【技術分野】
【０００１】
本発明は、室外機梱包材集合体に関する。
【背景技術】
【０００２】
従来より、室外機を梱包する際に、室外機の上下両面を緩衝体で支持した状態で、外装段ボール等で室外機の側面周囲等を覆う梱包装置が用いられている（特許文献１参照）。
【０００３】
また、外装段ボールの代わりに、室外機の上下両面を緩衝体で支持した状態で、筒状の胴枠で室外機の側面周囲を覆うことも従来より行われている。
【特許文献１】特開２００３−２６２７７号公報
【発明の開示】
【発明が解決しようとする課題】
【０００４】
しかし、横方向の荷扱いに耐えるように、室外機の製品本体のとくに本体側面の閉鎖弁等を覆う樹脂外殻部分と梱包用の胴枠等との隙間を確保する必要がある。しかし、隙間を確保するためには、底面側緩衝材による落下などの耐衝撃性が十分あるにもかかわらず、発泡スチロール等で製造される緩衝材の寸法を大きくせざるを得ないという問題がある。
【０００５】
本発明の課題は、緩衝材を増大させることなく横方向の耐力を向上することが可能な室外機梱包材集合体を提供することにある。
【課題を解決するための手段】
【０００６】
第１発明の室外機梱包材集合体は、空気調和機の室外機を梱包するための室外機梱包材集合体である。室外機梱包材集合体は、底部ケースと、上部ケースと、底部緩衝材と、上部緩衝材と、胴枠と、寸法差埋め部とを備えている。底部ケースは、室外機の底部に取り付けることができる。上部ケースは、室外機の上部に取り付けることができる。底部緩衝材は、室外機と底部ケースとの間に配置される。上部緩衝材は、室外機と上部ケースとの間に配置される。胴枠は、上面視において上部ケースおよび底部ケースよりも１カ所以上の所定方向の寸法が大きくなっている。胴枠は、底部ケースおよび上部ケースの少なくとも周囲を覆う。寸法差埋め部は、胴枠における１カ所以上の所定方向の寸法が大きい部分を埋める。
【０００７】
ここでは、室外機梱包材集合体が寸法差埋め部を備えており、寸法差埋め部が上面視において胴枠における１カ所以上の所定方向の寸法が大きい部分を埋めているので、上部ケースおよび底部ケースの緩衝材が不要に大きくなることを回避することが可能である。その結果、緩衝材を増大させることなく横方向の耐力を向上することが可能になる。
【０００８】
第２発明の室外機梱包材集合体は、第１発明の室外機梱包材集合体であって、寸法差埋め部の下面は、胴枠に接する側から底部ケースまたは上部ケースに接する側にかけて斜め上方向に延びる。
【０００９】
ここでは、寸法差埋め部の下面が胴枠に接する側から底部ケースまたは上部ケースに接する側にかけて斜め上方向に延びるので、胴枠を上から被せる際に入れやすくなっている。
【００１０】
第３発明の室外機梱包材集合体は、第２発明の室外機梱包材集合体であって、寸法差埋め部は、台形断面形状を有している。寸法差埋め部の台形断面における短辺は、底部ケースまたは上部ケースに接する。
【００１１】
ここでは、寸法差埋め部が台形断面形状を有しており、寸法差埋め部の台形断面における短辺が底部ケースまたは上部ケースに接しているので、胴枠を上から被せる際に入れやすく、かつ、寸法差埋め部が上部ケースに乗り上げにくくなっている。
【００１２】
第４発明の室外機梱包材集合体は、第２発明の室外機梱包材集合体であって、寸法差埋め部は、三角形断面形状を有している。寸法差埋め部の三角形断面における頂点は、底部ケースまたは上部ケースに接する。
【００１３】
ここでは、寸法差埋め部が三角形断面形状を有しており、寸法差埋め部の三角形断面における頂点が底部ケースまたは上部ケースに接しているので、胴枠を上から被せる際に入れやすく、かつ、３辺で寸法差埋め部を構成できるので製造コストを抑えることができる。
【００１４】
第５発明の室外機梱包材集合体は、第１発明から第４発明のいずれかの室外機梱包材集合体であって、寸法差埋め部は、上部ケースの側面に密着している。
【００１５】
ここでは、寸法差埋め部は、上部ケースの側面に密着しているので、上部ケースと寸法差埋め部によって上方から異物が梱包空間内に入らなくなる。
【００１６】
第６発明の室外機梱包材集合体は、第１発明から第５発明のいずれかの室外機梱包材集合体であって、寸法差埋め部は、胴枠とともに、１枚の折り曲げ可能な板状材料を折り曲げることにより製造されている。
【００１７】
ここでは、寸法差埋め部が胴枠とともに１枚の折り曲げ可能な板状材料を折り曲げることにより製造されているので、部品点数および製造コストの低減が可能になる。
【００１８】
第７発明の室外機梱包材集合体は、第１発明から第５発明のいずれかの室外機梱包材集合体であって、寸法差埋め部は、胴枠と別部材であり、胴枠の内面に固着されている
ここでは、寸法差埋め部が胴枠と別部材であり、かつ、胴枠の内面に固着されているので、胴枠と異なる材料で寸法差埋め部を製造することが可能である。
【００１９】
第８発明の室外機梱包材集合体は、第１発明から第７発明のいずれかの室外機梱包材集合体であって、寸法差埋め部は、胴枠の少なくとも１つの側面に設けられている。
【００２０】
ここでは、寸法差埋め部が胴枠の少なくとも１つの側面に設けられているので、上面視において胴枠における１カ所以上の所定方向の寸法が大きい部分を確実に埋めることが可能である。
【００２１】
第９発明の室外機梱包材集合体は、第１発明から第８発明のいずれかの室外機梱包材集合体であって、胴枠は、上部ケースの上面および／または底部ケースの下面を覆う部分を有している。
【００２２】
ここでは、胴枠が上部ケースの上面および／または底部ケースの下面を覆う部分を有しているので、胴枠の形態保持性が向上して寸法差埋め部の短縮化が可能であり、また、密閉性も向上する。
【発明の効果】
【００２３】
第１発明によれば、上部ケースおよび底部ケースの緩衝材が不要に大きくなることを回避することができる。その結果、緩衝材を増大させることなく横方向の耐力を向上することができる。
【００２４】
第２発明によれば、胴枠を上から被せる際に胴枠を容易に挿入することができる。
【００２５】
第３発明によれば、胴枠を上から被せる際に入れやすく、かつ、寸法差埋め部が上部ケースに乗り上げにくくなる。
【００２６】
第４発明によれば、胴枠を上から被せる際に入れやすく、かつ、製造コストを抑えることができる。
【００２７】
第５発明によれば、上方から異物が梱包空間内に入ることを防止できる。
【００２８】
第６発明によれば、部品点数および製造コストを低減することができる。
【００２９】
第７発明によれば、胴枠と異なる材料で寸法差埋め部を製造することができる。
【００３０】
第８発明によれば、上面視において胴枠における１カ所以上の所定方向の寸法が大きい部分を確実に埋めることができる。
【００３１】
第９発明によれば、胴枠の形態保持性が向上して寸法差埋め部の短縮化が可能である。また、密閉性も向上する。
【発明を実施するための最良の形態】
【００３２】
〔第１実施形態〕
＜室外機梱包材集合体１の主な構成＞
図１〜３に示される室外機梱包材集合体１は、空気調和機の室外機Ａを梱包するための梱包材の集合体である。室外機Ａの側面には、閉鎖弁等を覆う樹脂外殻部分Ｂが取り付けられているので、樹脂外殻部分Ｂが室外機Ａの側面から側方に突出している状態になっている。
【００３３】
室外機梱包材集合体１は、底部ケース３と、上部ケース２と、底部緩衝材６と、上部緩衝材５と、胴枠４と、上下一対の寸法差埋め部８とを備えている。
【００３４】
底部ケース３は、室外機Ａの底部に取り付けることができるケースである。底部ケース３は、段ボール等の紙製または合成樹脂製の板状材料によって製造される。
【００３５】
上部ケース２は、室外機Ａの上部に取り付けることができるケースである。上部ケース２は、段ボール等の紙製または合成樹脂製の板状材料によって製造される。
【００３６】
底部緩衝材６は、室外機Ａと底部ケース３との間に配置される緩衝材である。底部緩衝材６は、発泡スチロール等の衝撃吸収性能の高い材料によって室外機Ａの底部周辺に嵌合し得る形状になるように製造される。
【００３７】
上部緩衝材５は、室外機Ａと上部ケース２との間に配置される緩衝材である。上部緩衝材５は、発泡スチロール等の衝撃吸収性能の高い材料によって室外機Ａの上部周辺に嵌合し得る形状になるように製造される。
【００３８】
胴枠４は、上面視において上部ケース２および底部ケース３よりも所定方向の寸法である横幅Ｌが大きくなっており、底部ケース３および上部ケース２の周囲を覆う筒状の枠体である。胴枠４は、段ボール等の紙製または合成樹脂製の板状材料によって製造される。
【００３９】
寸法差埋め部８の構成については、後述の別項目で詳細に説明する。
【００４０】
室外機Ａの梱包を行う場合には、室外機Ａの上部および底部を緩衝材５、６を介して上部ケース２および底部ケース３で覆い、室外機Ａ、上部ケース２および底部ケース３の側面周囲を覆うように胴枠４を被せる。その後、上部ケース２、底部ケース３および胴枠４の外側を結束バンド１１によって結束する。
【００４１】
＜寸法差埋め部８の構成＞
寸法差埋め部８は、上部ケース２および底部ケース３の外周よりも胴枠４の内周が大きい場合に胴枠４とケース２、３との寸法差を埋めるものであり、具体的には、上面視において胴枠４における上部ケース２および底部ケース３よりも所定方向の寸法（図２〜３の室外機Ａの側面から樹脂外殻部分Ｂが突出する方向についての胴枠４の横幅Ｌ）が大きい部分を埋める。具体的には、寸法差埋め部８は、胴枠４の側面４ｂと上部ケース２の側面２ａとの隙間、および胴枠４の側面４ｂと底部ケース３の側面３ａとの隙間を埋める。これによって、上部ケース２および底部ケース３の緩衝材５、６が不要に大きくなることを回避している。
【００４２】
寸法差埋め部８は、台形断面形状を有している。すなわち、寸法差埋め部８は、下面８ａ、短辺８ｂ、長辺８ｃ、および上面８ｄの４面を有している。
【００４３】
寸法差埋め部８の下面８ａは、胴枠４の側面４ｂに接する側から底部ケース３の側面３ａまたは上部ケース２の側面２ａに接する側にかけて斜め上方向に延びる。これによって、胴枠４を上から、上部ケース２および底部ケース３を取り付けられた状態の室外機Ａの側面周囲に被せる際に入れやすくなる。
【００４４】
しかも、寸法差埋め部８の台形断面における短辺８ｂは、底部ケース３または上部ケース２に接している。これにより、胴枠４を上から被せる際に入れやすく、かつ、寸法差埋め部８が上部ケース２に乗り上げにくくなる。
【００４５】
寸法差埋め部８は、上部ケース２の側面２ａに密着しているので、上部ケース２と寸法差埋め部８によって上方からの異物の侵入を防止している。
【００４６】
寸法差埋め部８は、図３に示されるように、胴枠４とともに、１枚の折り曲げ可能な板状材料を折り曲げることにより製造されている。胴枠４は、一連の４つの側面４ａ、４ｂ、４ｃ、および４ｄを四角筒状に折り曲げ、側面４ｃと側面４ｄ側の止めしろ４ｅとを重ね合わせてステイプルで止めることによって、四角筒状の枠体になるように製造されている。胴枠４の側面４ｂの上下端部には、台形断面形状の寸法差埋め部８が展開された４つの面８ａ、８ｂ、８ｃ、および８ｄが連結されている。４つの面８ａ、８ｂ、８ｃ、および８ｄを図１〜２に示されるように台形形状に折り曲げた後、長辺８ｃ側の差込み凸部８ｅをスリット８ｆに挿入することによって、台形断面形状の寸法差埋め部８が製造される。このように、１枚の折り曲げ可能な板状材料を折り曲げることによって寸法差埋め部８を製造することによって、部品点数および製造コストの低減が可能になる。
【００４７】
胴枠４および寸法差埋め部８は、段ボール等の紙製または合成樹脂製の板状材料によって製造される。
【００４８】
寸法差埋め部８は、胴枠４の４つの側面４ａ、４ｂ、４ｃ、および４ｄのうち、少なくとも１つの側面４ｂに設けられていれば、胴枠４と上部ケース２（または底部ケース３）との寸法差を埋めることが可能である。したがって、寸法差埋め部８を胴枠４の４つの側面４ａ、４ｂ、４ｃ、および４ｄすべてに設けたり、または、対向する２つの側面４ｂ、４ｄに設けてもよい。
【００４９】
＜第１実施形態の特徴＞
（１）
第１実施形態の室外機梱包材集合体１は、寸法差埋め部８を備えている。寸法差埋め部８は、上面視において胴枠４における所定方向の寸法（横幅Ｌ）が大きい部分を埋めている。これによって、上部ケース２および底部ケース３の緩衝材５、６が不要に大きくなることを回避することが可能である。
【００５０】
第１実施形態の室外機梱包材集合体１では、樹脂外殻部分Ｂが室外機Ａの側面から側方に突出していても、胴枠４の横幅Ｌを拡大するとともに胴枠４と上下のケース２、３との隙間を寸法差埋め部８によって埋めているので、樹脂外殻部分Ｂと胴枠４との間隔Ｓ１を十分確保することができ、緩衝材の寸法を大きくしたり、増大しなくても横方向の梱包耐力を向上させることができる。
【００５１】
一方、比較例として、図１３〜１４に示される従来の室外機梱包材集合体２１のように寸法差埋め部８を備えていない場合には、樹脂外殻部分Ｂと胴枠４との間隔Ｓ３が小さくなるので、本発明の室外機梱包材集合体１を用いた場合と比較して、横方向の梱包耐力が大幅に低くなる。
【００５２】
（２）
第１実施形態の室外機梱包材集合体１では、寸法差埋め部８の下面８ａは、胴枠４に接する側から底部ケース３または上部ケース２に接する側にかけて斜め上方向に延びる。これによって、胴枠４を上から被せる際に入れやすくなっている。
【００５３】
（３）
第１実施形態の室外機梱包材集合体１では、寸法差埋め部８が台形断面形状を有しており、寸法差埋め部８の台形断面における短辺８ｂが底部ケース３または上部ケース２に接している。これにより、胴枠４を上から被せる際に入れやすく、かつ、寸法差埋め部８が上部ケース２に乗り上げにくくなっている。
【００５４】
（４）
第１実施形態の室外機梱包材集合体１では、寸法差埋め部８は、上部ケース２の側面２ａに密着しているので、上部ケース２と寸法差埋め部８によって上方から異物（胸ポケットのボールペンなど）が梱包空間内に入らなくなっている。
【００５５】
（５）
第１実施形態の室外機梱包材集合体１では、寸法差埋め部８が胴枠４とともに１枚の折り曲げ可能な板状材料を折り曲げることにより製造されているので、部品点数および製造コストの低減が可能になる。
【００５６】
（６）
第１実施形態の室外機梱包材集合体１では、寸法差埋め部８が胴枠４の少なくとも１つの側面に設けられていることによって、上面視において胴枠４における所定方向の寸法が大きい部分を確実に埋めることが可能である。また、寸法差埋め部８を胴枠４の複数の側面に設ければ、上面視において胴枠４における所定方向の寸法が大きい複数の部分を埋めることが可能になる。
【００５７】
＜第１実施形態の変形例＞
（Ａ）
第１実施形態の室外機梱包材集合体１では、寸法差埋め部８が胴枠４とともに１枚の折り曲げ可能な板状材料を折り曲げることにより製造されているが、本発明はこれに限定されるものではない。
【００５８】
第１実施形態の変形例として、図４〜５に示される寸法差埋め部８は、胴枠４と別部材であり、胴枠４の内面に固着されている。この場合も、寸法差埋め部８は、上面視において胴枠４における所定方向の寸法が大きい部分を埋めているので、上部ケース２および底部ケース３の緩衝材５、６が不要に大きくなることを回避することが可能である。しかも、寸法差埋め部８は、胴枠４と別部材であるので、胴枠４と異なる材料で製造することが可能である。例えば、胴枠４を段ボール等の紙製の板材で製造し、一方、寸法差埋め部８を合成樹脂製の板材で折り曲げて製造することが可能である。また、寸法差埋め部８をあらかじめ合成樹脂製の筒状体として製造することも可能である。したがって、胴枠４よりも剛性の高い材料で寸法差埋め部８を製造することも可能である。
【００５９】
（Ｂ）
第１実施形態の他の変形例として、図６に示されるように、胴枠４は、上部ケース２の上面および／または底部ケース３の下面を覆う部分４ｅ、４ｆ、４ｇ、４ｈを有するような形状であってもよい。
【００６０】
図６に示されるように、部分４ｅ、４ｆ、４ｇ、４ｈは、胴枠４の側面４ａ、４ｂ、４ｃ、４ｄの上端縁に折り曲げ自在に一体に連結されている。部分４ｅ、４ｆ、４ｇ、４ｈが上部ケース２の上面を覆うことによって、胴枠４の形態保持性が向上する。これによって、胴枠４と別部材の寸法差埋め部８の長さは、必ずしも胴枠４の中の幅（具体的には側面４ｂの幅）に合わせて隙間を埋める様な配慮は不要になり、必要最小限の長さでよい。したがって、寸法差埋め部８の短縮化が可能になる。
【００６１】
また、部分４ｅ、４ｆ、４ｇ、４ｈが上部ケース２の上面を覆うことによって、室外機梱包材集合体１の密閉性も向上する。
【００６２】
なお、部分４ｅ、４ｆ、４ｇ、４ｈのような蓋部材を、胴枠４の側面４ａ、４ｂ、４ｃ、４ｄの下端縁に折り曲げ自在に一体に連結することによっても、胴枠４の形態保持性向上による寸法差埋め部８の短縮化が可能になり、密閉性も向上する。
【００６３】
（Ｃ）
なお、本発明では、寸法差埋め部は、上部ケース２および底部ケース３の外周よりも胴枠４の内周が大きい場合に胴枠４とケース２、３との寸法差を埋めるものであればよいので、胴枠４の少なくとも１カ所以上の所定方向に対して対応し、胴枠４の複数の所定方向に対しては複数の寸法差埋め部を持つようにしてもよい。
【００６４】
例えば、第１実施形態のさらに他の変形例として、図７〜８に示されるように、上面視において胴枠４における２カ所の所定方向の寸法（Ｌ、Ｍ）が大きい部分を埋めるために、寸法差埋め部８、２８を備えてもよい。これによって、胴枠４の複数の所定方向についても上部ケース２および底部ケース３の緩衝材５、６が不要に大きくなることを回避することが可能である。
【００６５】
この図７〜８に示される変形例は、第１実施形態と比較して、寸法差埋め部２８が追加された点で異なっており、その他の点では第１実施形態の構成と共通している。
【００６６】
追加された寸法差埋め部２８は、上面視において胴枠４における上部ケース２および底部ケース３よりも所定方向の寸法（図７〜８の胴枠４の縦幅Ｍ）が大きい部分を埋める。具体的には、寸法差埋め部２８は、胴枠４の側面４ａと上部ケース２の側面２ａとの隙間、および胴枠４の側面４ａと底部ケース３の側面３ａとの隙間を埋める。これによって、上部ケース２および底部ケース３の緩衝材５、６が不要に大きくなることを回避している。
【００６７】
寸法差埋め部２８は、台形断面形状を有している。すなわち、寸法差埋め部２８は、下面２８ａ、短辺２８ｂ、長辺２８ｃ、および上面２８ｄの４面を有している。寸法差埋め部２８は、止めしろ２８ｅおよびスリット２８ｆをさらに有している。
【００６８】
寸法差埋め部２８は、図８に示されるように、胴枠４とともに、１枚の折り曲げ可能な板状材料を折り曲げることにより製造されている。ここで、寸法差埋め部２８の長さは、胴枠４の側面８ａの幅Ｌよりもの少なくとも幅ｓ（寸法差埋め部８の上面８ｄの幅ｓと同一）だけ小さくなるように設定されているので、寸法差埋め部２８が寸法差埋め部８と干渉することがない。
【００６９】
（Ｄ）
また、第１実施形態のさらに他の変形例として、図９に示されるように、胴枠４と寸法差埋め部８、２８とが別体の場合でも、胴枠４の複数の所定方向に対して複数の寸法差埋め部８、２８を持つようにしてもよい。この場合も胴枠４の複数の所定方向についても上部ケース２および底部ケース３の緩衝材５、６が不要に大きくなることを回避することが可能である。
【００７０】
〔第２実施形態〕
図１０〜１２に示される第２実施形態の室外機梱包材集合体１は、上記の第１実施形態（図１〜３）の場合と比較して、寸法差埋め部１８が三角形断面形状を有しており、寸法差埋め部１８の三角形断面における頂点１８ｄが底部ケース３または上部ケース２に接している点で異なっているが、その他の構成は第１実施形態の室外機梱包材集合体１と共通している。
【００７１】
寸法差埋め部１８は、上部ケース２および底部ケース３の外周よりも胴枠４の内周が大きい場合に胴枠４とケース２、３との寸法差を埋めるものであり、具体的には、上面視において胴枠４における上部ケース２および底部ケース３よりも所定方向の寸法（図２〜３の室外機Ａの側面から樹脂外殻部分Ｂが突出する方向についての胴枠４の横幅Ｌ参照）が大きい部分を埋める。具体的には、寸法差埋め部１８は、胴枠４の側面４ｂと上部ケース２の側面２ａとの隙間、および胴枠４の側面４ｂと底部ケース３の側面３ａとの隙間を埋める。これによって、上部ケース２および底部ケース３の緩衝材５、６が不要に大きくなることを回避している。
【００７２】
寸法差埋め部１８は、三角形断面形状を有している。すなわち、寸法差埋め部１８は、斜めに延びる下面１８ａ、第１辺１８ｂ、および第２辺１８ｃの３面を有している。第１辺１８ｂおよび第２辺１８ｃは、直角に開いている。
【００７３】
寸法差埋め部１８の下面１８ａは、胴枠４の側面４ｂに接する側から上部ケース２の側面２ａまたは底部ケース３の側面３ａに接する側にかけて斜め上方向に延びる。これによって、胴枠４を上から、上部ケース２および底部ケース３を取り付けられた状態の室外機Ａの側面周囲に被せる際に入れやすくなる。
【００７４】
しかも、寸法差埋め部１８の三角形断面における頂点１８ｄが底部ケース３または上部ケース２に接している。とくに、寸法差埋め部１８の頂点１８ｄが上部ケース２の側面２ａに密着しているので、上部ケース２と寸法差埋め部１８によって上方からの異物の侵入を防止している。
【００７５】
寸法差埋め部１８は、図１２に示されるように、胴枠４とともに、１枚の折り曲げ可能な板状材料を折り曲げることにより製造されている。胴枠４は、一連の４つの側面４ａ、４ｂ、４ｃ、および４ｄを筒状に折り曲げ、側面４ｃと側面４ｄ側の止めしろ４ｅとを重ね合わせてステイプルで止めることによって、筒状の枠体になるように製造される。胴枠４の側面４ｂの上下端部には、三角形断面形状の寸法差埋め部１８が展開された３つの面１８ａ、１８ｂおよび１８ｃが連結されている。３つの面１８ａ、１８ｂおよび１８ｃを図１０〜１１に示されるように三角形形状に折り曲げた後、第２辺１８ｃ側の差込み凸部１８ｅをスリット１８ｆに挿入することによって、三角形断面形状の寸法差埋め部１８が製造される。このように、１枚の折り曲げ可能な板状材料を折り曲げることによって寸法差埋め部１８を製造することによって、部品点数および製造コストの低減が可能になる。
【００７６】
胴枠４および寸法差埋め部１８を構成する板状材料は、段ボール等の紙製または合成樹脂製の板状材料によって製造される。
【００７７】
寸法差埋め部１８は、胴枠４の４つの側面４ａ、４ｂ、４ｃ、および４ｄのうち、少なくとも１つの側面４ｂに設けられていれば、胴枠４と上部ケース２（または底部ケース３）との寸法差を確実に埋めることが可能である。したがって、寸法差埋め部１８を胴枠４の４つの側面４ａ、４ｂ、４ｃ、および４ｄすべてに設けたり、または、対向する２つの側面４ｂ、４ｄに設けてもよい。
【００７８】
＜第２実施形態の特徴＞
（１）
第２実施形態の室外機梱包材集合体１では、寸法差埋め部１８が三角形断面形状を有しており、寸法差埋め部１８の三角形断面における頂点１８ｄが底部ケース３または上部ケース２に接しているので、胴枠４を上から被せる際に入れやすく、かつ、３辺で寸法差埋め部１８を構成できるので製造コストを抑えることができる。
【００７９】
（２）
なお、寸法差埋め部１８も、上記第１実施形態の寸法差埋め部８と同様に、胴枠４と別部材にして胴枠４の内面に固着してもよい。この場合も、寸法差埋め部１８は、上面視において胴枠４における所定方向の寸法が大きい部分を埋めているので、上部ケース２および底部ケース３の緩衝材５、６が不要に大きくなることを回避することが可能である。
【産業上の利用可能性】
【００８０】
本発明は、室外機の梱包をするための梱包材集合体に適用することが可能である。
【図面の簡単な説明】
【００８１】
【図１】本発明の第１実施形態に係わる室外機梱包材集合体の室外機を梱包した状態を示す断面図。
【図２】図１の胴枠および寸法差埋め部の斜視図。
【図３】図１の胴枠および寸法差埋め部を展開した状態を示す平面図。
【図４】本発明の第１実施形態の変形例に係わる室外機梱包材集合体の室外機を梱包した状態を示す断面図。
【図５】図４の胴枠および寸法差埋め部の斜視図。
【図６】本発明の第１実施形態の他の変形例に係わる室外機梱包材集合体の胴枠および寸法差埋め部の斜視図。
【図７】本発明の第１実施形態のさらに他の変形例に係わる室外機梱包材集合体の胴枠および寸法差埋め部の斜視図。
【図８】図７の胴枠および寸法差埋め部を展開した状態を示す平面図。
【図９】本発明の第１実施形態のさらに他の変形例に係わる室外機梱包材集合体の胴枠および寸法差埋め部の斜視図。
【図１０】本発明の第２実施形態に係わる室外機梱包材集合体の室外機を梱包した状態を示す断面図。
【図１１】図１０の胴枠および寸法差埋め部の斜視図。
【図１２】図１０の胴枠および寸法差埋め部を展開した状態を示す平面図。
【図１３】本発明の比較例に係わる従来の室外機梱包材集合体の室外機を梱包した状態を示す断面図。
【図１４】図１３の胴枠の斜視図。
【符号の説明】
【００８２】
１  室外機梱包材集合体
２  上部ケース
３  底部ケース
４  胴枠
５  上部緩衝材
６  底部緩衝材
８、１８、２８  寸法差埋め部
【図１】
2008013209.tif 000003
【図２】
2008013209.tif 000004
【図３】
2008013209.tif 000005
【図４】
2008013209.tif 000006
【図５】
2008013209.tif 000007
【図６】
2008013209.tif 000008
【図７】
2008013209.tif 000009
【図８】
2008013209.tif 000010
【図９】
2008013209.tif 000011
【図１０】
2008013209.tif 000012
【図１１】
2008013209.tif 000013
【図１２】
2008013209.tif 000014
【図１３】
2008013209.tif 000015
【図１４】
2008013209.tif 000016